(57)【要約】【課題】長期間にわたって使用しても、カバー材の両側縁が芯材１ａから離れることがない手摺。【解決手段】下面の長手方向に沿って長溝１０を形成した円筒状の金属製芯材１ａと、この芯材１ａの表面に被覆された合成樹脂製カバー材９と、芯材１ａの長溝１０に取り付けられるカバー押え材１１とを備え、上記芯材１ａの長溝１０には上記カバー材９の両側縁部に係止する第１の係止部１４と上記カバー押え材１１の背面に形成された脚片１８の先端に係止する第２の係止部１５とを形成するとともに、上記カバー押え材１１には、上記カバーの両側縁部を押さえる押え部１７を形成した。【選択図】図３
2005350981.tif 000002
【特許請求の範囲】
【請求項１】
下面の長手方向に沿って長溝を形成した円筒状の金属製芯材と、この芯材の表面に被覆された合成樹脂製カバー材と、芯材の長溝に取り付けられるカバー押え材とを備え、上記芯材の長溝には上記カバー材の両側縁部に係止する第１の係止部と上記カバー押え材の背面に形成された脚片の先端に係止する第２の係止部とを形成するとともに、上記カバー押え材には、上記カバーの両側縁部を押さえる押え部を形成したことを特徴とする手摺。
【請求項２】
前記カバー押え材が、前記長溝を塞ぐように配置された、請求項１記載の手摺。
【請求項３】
前記カバー押え材が短尺で、前記長溝に間隔をおいて配置された、請求項１記載の手摺。
【発明の詳細な説明】
【技術分野】
【０００１】
本発明は歩行を補助する手摺に関するものである。
【背景技術】
【０００２】
最近、屋内のトイレ、階段、ベランダや屋外の玄関から門までのアプローチに老人や病人などの歩行を補助するための手摺を設置する例が多くなってきている。
【０００３】
ところで、手摺には強度が要求されるため、金属製の棒材によって構成されることが好ましいが、硬く冷たい金属に直接触れることによる不快感を防止するため、通常は特許文献１に示されるように、筒状の金属製芯材の表面を合成樹脂製のカバー材で被覆している。
【０００４】
芯材の表面にカバー材を被覆する場合、カバー材を筒状に形成し、この筒条カバー材を芯材に隙間無く嵌め込むことは技術的に困難であるから、カバー材を長帯状に形成する一方、芯材の下面の長手方向に沿って長溝を形成し、上記カバー材を芯材の表面に接着するとともに、その両側縁を上記長溝の開口部に係止させて固定していた。そして、長溝には軟質の中空塞ぎ材で塞いで樹脂材が手摺の円周方向に途切れずに連続するように形成されていた。
【特許文献１】特開平９−２７３２８３号公報
【発明の開示】
【発明が解決しようとする課題】
【０００５】
しかしながら、屋外に設置した手摺は紫外線や風雨に晒されるため、長い間にはカバー材が劣化し、カバー材全体にいわゆるダレが生じて伸びてしまう。両側縁の係止部が長溝から外れた部分が垂れ下がる現象が生じていた。この場合、長溝に埋めていた塞ぎ材は軟質であるから、長溝から外れるのを防止することはできない。カバー材が垂れると、接着の剥がれも進むほか、ごみが付着して汚れるので、外観が損なわれるだけでなく、手摺につかまったときに、カバー材の芯材から離れた部分が手に当って不快である。
【０００６】
本発明は上記問題点を解消し、長期間にわたって使用しても、カバー材の両側縁が芯材から離れることがない手摺を提供することをその課題とする。
【課題を解決するための手段】
【０００７】
前記課題を解決するため、本発明に係る手摺は、下面の長手方向に沿って長溝を形成した円筒状の金属製芯材と、この芯材の表面に被覆された合成樹脂製カバー材と、芯材の長溝に取り付けられるカバー押え材とを備え、上記芯材の長溝には上記カバー材の両側縁部に係止する第１の係止部と上記カバー押え材の背面に形成された脚片の先端に係止する第２の係止部とを形成するとともに、上記カバー押え材には、上記カバーの両側縁部を押さえる押え部を形成したことを特徴とする。
【０００８】
なお、前記カバー押え材は長尺で、前記長溝を塞ぐように配置されたものでもよく、あるいは、短尺で、前記長溝に間隔をおいて配置されたものであってもよい。
【発明の効果】
【０００９】
請求項１に係る発明によれば、カバー押え材の脚片と係止部は芯材の長溝の内側にあり、長溝は下向きに開口しているから、上記脚片と係止部は紫外線や風雨に直接晒されないため、長年月の使用に耐え、係止が外れることはない。そして、カバー押え材には、カバー材の両側縁部を押さえる押え部が形成されているから、カバー材が劣化して自然のままでは係止が外れる状態になっていても、押え部によって良好に保持され、芯材から離れることがない。したがって、いつまでも快適な使用を維持することができる。
【００１０】
請求項２に係る発明によれば、長溝全体がカバー押え材によって塞がれるので、手摺を握ったときに違和感がなく、使用感がよい。
【００１１】
請求項３に係る発明によれば、カバー押え材の使用量を節減することができる。
【発明を実施するための最良の形態】
【００１２】
長期間にわたって使用しても、カバー材が芯材から離れることがないようにするという目的を、金属製芯材の長溝には、芯材を被覆するカバー材の両側縁部に係止する係止部と上記カバー押え材の背面に形成された脚片の先端に係止する係止部とを形成するとともに、上記カバー押え材には、上記カバーの両側縁部を押さえる押え部を形成する構成によって実現した。
【実施例】
【００１３】
図１は手摺の一部の正面図、図２はそのＸ−Ｘ線上の断面図であり、図３はＹ−Ｙ線上の断面図である。同図において符号１は手摺を示す。この手摺１は支柱２の上に連結金具３を介して連結されている。連結金具３は支柱２の上端に嵌合固定されたベース部材３ａと、ベース部材３ａの上部の二股部４の間に支軸５を介して回動自在に連結されたブラケット６とから構成され、ブラケット６の上端には左右に張り出す張り出し部７が形成され、これらの張り出し部７から挿通されたボルト８を手摺１に螺着することにより固定している。
【００１４】
手摺１はアルミニウムなどの金属からなる芯材１ａと、芯材１ａの表面に被覆された合成樹脂製カバー材９と、芯材１ａの長溝１０に取り付けられたカバー押え材１１とから構成されている。
【００１５】
芯材１ａは円筒状で、下面の長手方向に沿って長溝１０が形成されている。長溝１０の奥には長溝１０の両側部を連結する連結部１２が形成されている。の長溝１０の両側の溝壁面には凸部１３が形成されている。凸部１３の長溝１０の開口部側には棒状溝形の第１の係止部１４が形成され連結部１２と凸部１３との間には溝状の第２の係止部１５が形成されている。
【００１６】
なお、上記連結金具３のブラケット６の張り出し部７から挿通されたボルト８は、上記第２の係止部１５に係止されたブラケット受け２０に螺着されている。
【００１７】
カバー材９は帯状に形成された板材を円筒状に丸めたもので、その両側縁は内側に折り曲げられ、係止縁１６が形成されている。
【００１８】
カバー押え材１１は金属又は硬質合成樹脂製で、連結金具３との連結部１２分を除いて芯材１ａの長溝１０を覆う幅の帯状に形成され、その両側部には押え部１７が形成されている。押え部１７を含むカバー押え材１１の幅は、芯材１ａの長溝１０間の間隔よりも広くなるように形成されている。また、カバー押え材１１の背面からは２条の脚片１８が突出形成されている。各脚片１８の先端には係止顎１９が形成されている。
【００１９】
上記芯材１ａに対してカバー材９とカバー押え材１１とを取り付けるときは、カバー材９を芯材１ａの表面に接着剤を介して接着させ、カバー材９の両側の係止縁１６を芯材１ａの第１の係止部１４に係止させる。さらに、カバー押え材１１の脚片１８を芯材１ａの長溝１０の両側凸部１３の間から差し込んで凸部１３の裏側の第２の係止部１５に係止顎１９を係止させる。これにより、カバー材９は芯材１ａ表面に固定される。同時に、カバー押え材１１は長溝１０を塞ぐとともに、その両側の押え部１７はカバー材９の両側縁部（係止縁１６の外側部分）に係合する。
【００２０】
上記構成によれば、手摺１を握るとき、直接には芯材１ａの表面の合成樹脂製カバー材９に触れることになるので、柔らかくて掴みやすく、滑りにくいほか、冷たい感触がないので、不快感がなく歩行者の歩行をしっかりと支持することができる。また、芯材１ａは金属製なので、強度は十分である。さらに、芯材１ａの長溝１０はカバー押え材１１によって塞がれているので、掴まっているときに指が長溝１０に入ってしまうことがない。
【００２１】
しかも、屋外に設置した手摺１は紫外線や風雨に晒されるため、長い間にはカバー材９が劣化することは従来と同じである。しかしながら、金属又は硬質合成樹脂製のカバー押え材１１の両側の押え部１７がカバー材９の両側縁部を押えているので、係止縁１６が芯材１ａの第１の係止部１４から外れることがない。したがって、カバー材が劣化して自然のままでは係止が外れる状態になっていても、押え部１７によって良好に保持され、芯材１ａから離れることがない。
【００２２】
なお、カバー押え材１１は芯材１ａの長溝１０のほぼ全長に沿って配置され、長溝１０を塞ぐ溝塞ぎ材として構成されているが、長溝１０の全長に沿って取り付ける必要はない。例えば、カバー押え材１１を短尺のピースとし、これらを芯材１ａの長溝１０に等間隔に設けてもよい。
【００２３】
この場合、カバー押え材１１の使用量を節減することができる。
【図面の簡単な説明】
【００２４】
【図１】本発明に係る手摺の一部の正面図である。
【図２】図１のＸ−Ｘ線上の要部の拡大断面図である。
【図３】図１のＹ−Ｙ線上の拡大断面図である。
【符号の説明】
【００２５】
１ａ  芯材
９  カバー材
１０  長溝
１１  カバー押え材
１７  押え部
【図１】
2005350981.tif 000003
【図２】
2005350981.tif 000004
【図３】
2005350981.tif 000005